(57)【要約】【課題】  繊維方向が幅又は長さ方向より長い木質材片を結合剤と共に加圧成形して高強度木質系複合材料を得る際の、配向が乱れずかつ厚さが大きい木質積層マットを得る木質材片の配向積層方法、及び木質積層マットの形成装置を提供する。【解決手段】  結合剤が付着された細長い木質材片を定量供給する供給装置と木質材片をほぼ長さ方向に揃えて配向させる配向装置とを備えた配向積層装置の複数台を搬送装置の上方に列設し、供給装置で単位時間当たりの木質材片の供給量を所定の値に制御しながら配向装置で配向した木質材片を搬送装置上に積層し、積層された木質積層マット上面高さを平らに均して、その上に、次の配向積層装置で配向した木質材片を更に積み重ねて積層し、木質積層マットを更に厚くする。【選択図】  図１
2005111804.tif 000002
【特許請求の範囲】
【請求項１】
結合剤が付着された細長い多数の木質材片をほぼ長さ方向に揃えて配向積層して木質積層マットとし、この木質積層マットの上に配向した木質材片を更に積み重ねて厚い木質積層マットを得る木質積層マットの形成方法であって、
木質材片を供給する供給装置と、
供給装置の下方に配置され、木質材片の搬送方向と平行に立設された複数の板又は並設された複数の溝からなる配向装置とで構成される、
配向した木質材片を搬送装置上に積層する木質材片配向積層装置の複数台を、
搬送装置上方に列設し、
少なくとも最初の木質材片配向積層装置の供給装置で、木質材片の単位時間当たり供給量が一定となるように供給量を制御しながら、木質材片を供給装置から配向装置へ供給し、
配向装置で、木質材片が配向されかつ高さが略一定とされた木質積層マットを搬送装置上に積層し、
以降の木質材片配向積層装置で、高さが略一定とされた木質積層マットの上に更に木質積層マットを積み重ねて積層して木質積層マットを厚くする
ことを特徴とする木質材片の配向積層方法。
【請求項２】
結合剤が付着された細長い多数の木質材片をほぼ長さ方向に揃えて配向積層して木質積層マットとし、この木質積層マットの上に配向した木質材片を更に積み重ねて厚い木質積層マットを得る木質積層マットの形成方法であって、
木質材片を供給する供給装置と、
供給装置の下方に配置され、木質材片の搬送方向と平行に立設された複数の板又は並設された複数の溝からなる配向装置とで構成される、
配向した木質材片を搬送装置上に積層する木質材片配向積層装置の複数台を、
搬送装置上方に列設し、
上記列設された木質材片配向積層装置同士の間に、木質積層マットの上面高さの均し具を設け、
搬送装置で搬送される木質積層マットの上面にその均し具を接触させて上面高さを略均一にしてから、上面高さを略均一に均された木質積層マットを以降の木質材片配向積層装置に搬送し、
以降の木質材片配向積層装置で、高さが略均一とされた木質積層マットの上に更に木質積層マットを積み重ねて積層して木質積層マットを厚くする
ことを特徴とする木質材片の配向積層方法。
【請求項３】
結合剤が付着された細長い多数の木質材片をほぼ長さ方向に揃えて配向積層して木質積層マットとし、この木質積層マットの上に配向した木質材片を更に積み重ねて厚い木質積層マットを得る木質積層マットの形成方法であって、
木質材片を供給する供給装置と、
供給装置の下方に配置され、木質材片の搬送方向と平行に立設された複数の板又は並設された複数の溝からなる配向装置とで構成される、
配向した木質材片を搬送装置上に積層する木質材片配向積層装置の複数台を、
搬送装置上方に列設し、
木質材片配向積層装置に、配向装置の高さを調節する高さ調節装置が設けられ、
該高さ調節装置により、配向装置の高さを、その木質材片配向積層装置の前に配置される木質材片配向積層装置から搬送されてくる木質積層マットの上面高さの変動に併せて調節して木質積層マットの高さを調節し、
木質積層マットを搬送装置上に積層して以降の木質材片配向積層装置に搬送し、
以降の木質材片配向積層装置で、木質積層マットの上に更に木質積層マットを積み重ねて積層して木質積層マットを厚くする
ことを特徴とする木質材片の配向積層方法。
【請求項４】
結合剤が付着された細長い多数の木質材片を供給する供給装置と、
供給装置の下方に配置され、木質材片の搬送方向と平行に立設された複数の板又は並設された複数の溝からなる配向装置とで構成される、
上記木質材片をほぼ長さ方向に揃えて搬送装置上に積層して木質積層マットとする複数台の木質材片配向積層装置を、
搬送装置上方に列設し、
供給装置に、木質材片の供給量を連続して測定する計量装置と供給量の制御装置とが備えられ、
木質材片の単位時間当たり供給量が一定となるように供給量を制御しながら木質材片を供給装置から配向装置へ供給して搬送装置上に木質積層マットを形成し、
木質材片配向積層装置毎に木質積層マットの上に更に木質積層マットを積み重ねて木質積層マットを厚くする
ことを特徴とする木質積層マットの形成装置。
【請求項５】
結合剤が付着された細長い多数の木質材片を供給する供給装置と、
供給装置の下方に配置され、木質材片の搬送方向と平行に立設された複数の板又は並設された複数の溝からなる配向装置とで構成される、
上記木質材片をほぼ長さ方向に揃えて搬送装置上に積層して木質積層マットとする複数台の木質材片配向積層装置を、
搬送装置上方に列設し、
列設された木質材片配向積層装置同士の間に、木質積層マットの上面高さの均し具が設けられ、
搬送装置で搬送される木質積層マットの上面に均し具を接触させて上面の高さを略均一にしてから、その木質積層マットを次の木質材片配向積層装置に搬送して搬送装置上に木質積層マットを形成し、
木質材片配向積層装置毎に木質積層マットの上に更に木質積層マットを積み重ねて木質積層マットを厚くする
ことを特徴とする木質積層マットの形成装置。
【請求項６】
結合剤が付着された細長い多数の木質材片を供給する供給装置と、
供給装置の下方に配置され、木質材片の搬送方向と平行に立設された複数の板又は並設された複数の溝からなる配向装置とで構成される、
上記木質材片をほぼ長さ方向に揃えて搬送装置上に積層して木質積層マットとする複数台木質材片配向積層装置を、
搬送装置上方に列設し、
木質材片配向積層装置に、配向装置の高さを調節する高さ調節装置が設けられ、
その木質材片配向積層装置に搬送されてくる木質積層マットの高さの変動に合わせて、該高さ調節装置で配向装置の高さを調節して搬送装置上に木質積層マットを形成し、
木質材片配向積層装置毎に木質積層マットの上に更に木質積層マットを積み重ねて木質積層マットを厚くする
ことを特徴とする木質積層マットの形成装置。
【発明の詳細な説明】
【技術分野】
【０００１】
本発明は、繊維方向が幅又は長さ方向より長い木質材片を結合剤と共に加圧成形して高強度木質系複合材料を得る際の、厚さが大きい木質積層マットを得る木質材片の配向積層方法、及び木質積層マットの形成装置に関する。
【背景技術】
【０００２】
結合剤が付着された木質材片を、木質材片の繊維方向と同方向に揃えて即ち配向して積み重ね、木質積層マットを形成してこれを加圧又は加熱工程などを経て固着させて成形した成形板は、その繊維方向の機械的強度が飛躍的に向上することが知られており、ＬＳＬ（ラミネーティッド・ストランド・ランバー）やＰＳＬ（オアラレル・ソトランド・ランバー）といった、構造材として使用可能な強度を有するものが存在している。
【０００３】
木質材片配向積層装置としては、木質片を自然落下させ、配向板の間を通過させて配向する種々の装置が考案されている。例えば、同軸上で複数枚の円盤を一定間隔をおいて配置し、円盤を回転させながらその円盤同士の間に木質材片を通過させることによって木質材片を配向する装置や、平行に並設した複数枚の板を配置し、相互に反対方向に往復運動する板間を木質材片が通過することによって配向するものなどがある。
【０００４】
しかしながら、これらの装置は、配向板によって縦横の同一平面内においては、木質材片は一方向に配向されるが、上下方向については自然落下のために、配向されにくいものであった。
【０００５】
自然落下により配向しない木質材片を少なくする装置として、例えば、木材削片の供給位置から下部に配設された搬送コンベアに向かって、両側に側壁を取着した基板を任意の傾斜角を有して配設し、前記基板の傾斜方向と直交する幅方向に下部断面を連続する凹凸形状に形成すると共に、該凹凸形状を前記基板の傾斜方向と平行に延在せしめ、さらに前記基板に振動を付与することを特徴とする木質削片の配向装置が提案されている（特許文献１参照。）。
【０００６】
上記装置においては、投下される木質削片（本発明にいう、木質材片に相当。）は、投下された直後の空中位置においては、無指向な状態であるが、凹凸形状の各凹部に分散落下され、かつ基板の振動を受けるため、その初期段階において、基板の傾斜方向、即ち振動搬送方向への配向作用が開始される。
【特許文献１】特開昭５９−４８３２４号公報（第１頁〜第７頁）
【発明の開示】
【発明が解決しようとする課題】
【０００７】
しかしながら、振動された基板から搬送装置に木質材片が落下する際、落下空間を自由な状態で落下してしまい、搬送方向に配向された木質材片の配向度合いが低下してしまうという問題点がある。なお、配向板下端辺の下方に設けられる空間（クリアランス）は、木質材片が自由な状態で落下出来るので、今後、自由空間という。
【０００８】
また、複数の配向装置によって順次木質材片を積層していく際、各々の装置で積層された木質積層マットの上面と配向装置上面との間は、やはり自由空間となり、自由空間の高さが大きい程、木質材片の配向度合いが低下してしまうという問題点がある。
【０００９】
更に、高さが厚い木質系複合材料を得るためには、木質積層マットの積層高さを高くしなければならないが、積層高さが高くなればなるほど、下部の木質材片は搬送装置によって移動しても、積層マット上部にある木質材片は、配向板に接触してその間にあるので、木質積層マットの進行に対して抵抗する力を受ける。その結果、木質積層マットの上下で搬送方向に対してズレが生じ、配向が乱れてしまうという問題点がある。即ち、木質材片を良い配向状態を保ったままで高く積むことは困難であった。
【００１０】
本発明は、上記従来の技術が有する問題を解決し、繊維方向が幅又は長さ方向より長い木質材片を結合剤と共に加圧成形して高強度木質系複合材料を得る際の、配向が乱れずかつ厚さが大きい木質積層マットを得る木質材片の配向積層方法、及び木質積層マットの形成装置を提供することを目的とする。
【課題を解決するための手段】
【００１１】
上記課題を解決するための本発明の請求項１記載の木質材片の配向積層方法（発明１）は、結合剤が付着された細長い多数の木質材片をほぼ長さ方向に揃えて配向積層して木質積層マットとし、この木質積層マットの上に配向した木質材片を更に積み重ねて厚い木質積層マットを得る木質積層マットの形成方法であって、木質材片を供給する供給装置と、供給装置の下方に配置され、木質材片の搬送方向と平行に立設された複数の板又は並設された複数の溝からなる配向装置とで構成される、配向した木質材片を搬送装置上に積層する木質材片配向積層装置の複数台を、搬送装置上方に列設し、少なくとも最初の木質材片配向積層装置の供給装置で、木質材片の単位時間当たり供給量が一定となるように供給量を制御しながら、木質材片を供給装置から配向装置へ供給し、配向装置で、木質材片が配向されかつ高さが略一定とされた木質積層マットを搬送装置上に積層し、以降の木質材片配向積層装置で、高さが略一定とされた木質積層マットの上に更に木質積層マットを積み重ねて積層して木質積層マットを厚くすることを特徴とする。
【００１２】
請求項２記載の木質材片の配向積層方法（発明２）は、結合剤が付着された細長い多数の木質材片をほぼ長さ方向に揃えて配向積層して木質積層マットとし、この木質積層マットの上に配向した木質材片を更に積み重ねて厚い木質積層マットを得る木質積層マットの形成方法であって、木質材片を供給する供給装置と、供給装置の下方に配置され、木質材片の搬送方向と平行に立設された複数の板又は並設された複数の溝からなる配向装置とで構成される、配向した木質材片を搬送装置上に積層する木質材片配向積層装置の複数台を、搬送装置上方に列設し、上記列設された木質材片配向積層装置同士の間に、木質積層マットの上面高さの均し具を設け、搬送装置で搬送される木質積層マットの上面にその均し具を接触させて上面高さを略均一にしてから、上面高さを略均一に均された木質積層マットを以降の木質材片配向積層装置に搬送し、以降の木質材片配向積層装置で、高さが略均一とされた木質積層マットの上に更に木質積層マットを積み重ねて積層して木質積層マットを厚くすることを特徴とする。
【００１３】
請求項３記載の木質材片の配向積層方法（発明３）は、結合剤が付着された細長い多数の木質材片をほぼ長さ方向に揃えて配向積層して木質積層マットとし、この木質積層マットの上に配向した木質材片を更に積み重ねて厚い木質積層マットを得る木質積層マットの形成方法であって、木質材片を供給する供給装置と、供給装置の下方に配置され、木質材片の搬送方向と平行に立設された複数の板又は並設された複数の溝からなる配向装置とで構成される、配向した木質材片を搬送装置上に積層する木質材片配向積層装置の複数台を、搬送装置上方に列設し、木質材片配向積層装置に、配向装置の高さを調節する高さ調節装置が設けられ、該高さ調節装置により、配向装置の高さを、その木質材片配向積層装置の前に配置される木質材片配向積層装置から搬送されてくる木質積層マットの上面高さの変動に併せて調節して木質積層マットの高さを調節し、木質積層マットを搬送装置上に積層して以降の木質材片配向積層装置に搬送し、以降の木質材片配向積層装置で、木質積層マットの上に更に木質積層マットを積み重ねて積層して木質積層マットを厚くすることを特徴とする。
【００１４】
請求項４記載の木質積層マットの形成装置（発明４）は、結合剤が付着された細長い多数の木質材片を供給する供給装置と、供給装置の下方に配置され、木質材片の搬送方向と平行に立設された複数の板又は並設された複数の溝からなる配向装置とで構成される、上記木質材片をほぼ長さ方向に揃えて搬送装置上に積層して木質積層マットとする複数台の木質材片配向積層装置を、搬送装置上方に列設し、供給装置に、木質材片の供給量を連続して測定する計量装置と供給量の制御装置とが備えられ、木質材片の単位時間当たり供給量が一定となるように供給量を制御しながら木質材片を供給装置から配向装置へ供給して搬送装置上に木質積層マットを形成し、木質材片配向積層装置毎に木質積層マットの上に更に木質積層マットを積み重ねて木質積層マットを厚くすることを特徴とする。
【００１５】
請求項５記載の木質積層マットの形成装置（発明５）は、結合剤が付着された細長い多数の木質材片を供給する供給装置と、供給装置の下方に配置され、木質材片の搬送方向と平行に立設された複数の板又は並設された複数の溝からなる配向装置とで構成される、上記木質材片をほぼ長さ方向に揃えて搬送装置上に積層して木質積層マットとする複数台の木質材片配向積層装置を、搬送装置上方に列設し、列設された木質材片配向積層装置同士の間に、木質積層マットの上面高さの均し具が設けられ、搬送装置で搬送される木質積層マットの上面に均し具を接触させて上面の高さを略均一にしてから、その木質積層マットを次の木質材片配向積層装置に搬送して搬送装置上に木質積層マットを形成し、木質材片配向積層装置毎に木質積層マットの上に更に木質積層マットを積み重ねて木質積層マットを厚くすることを特徴とする。
【００１６】
請求項６記載の木質積層マットの形成装置（発明６）は、結合剤が付着された細長い多数の木質材片を供給する供給装置と、供給装置の下方に配置され、木質材片の搬送方向と平行に立設された複数の板又は並設された複数の溝からなる配向装置とで構成される、上記木質材片をほぼ長さ方向に揃えて搬送装置上に積層して木質積層マットとする複数台木質材片配向積層装置を、搬送装置上方に列設し、木質材片配向積層装置に、配向装置の高さを調節する高さ調節装置が設けられ、その木質材片配向積層装置に搬送されてくる木質積層マットの高さの変動に合わせて、該高さ調節装置で配向装置の高さを調節して搬送装置上に木質積層マットを形成し、木質材片配向積層装置毎に木質積層マットの上に更に木質積層マットを積み重ねて木質積層マットを厚くすることを特徴とする。
【００１７】
本発明１から３に記載の木質材片の配向積層方法は、結合剤が付着された細長い多数の木質材片をほぼ長さ方向に揃えて配向積層して木質積層マットとし、この木質積層マットの上に配向した木質材片を更に積み重ねて厚い木質積層マットを得る木質積層マットの形成方法であって、いずれの発明も、木質材片を供給する供給装置と、供給装置の下方に配置され、木質材片の搬送方向と平行に立設された複数の板（以降、配向板という。）又は並設された複数の溝（以降、配向溝という）からなる配向装置とで構成され、配向した木質材片を搬送装置上に積層する木質材片配向積層装置（以降、配向積層装置という。）とを、搬送装置上方に複数台を列設した木質積層マットの形成装置を用いる方法である。
【００１８】
用いられる木質積層マットの形成装置を構成する木質材片配向積層装置の配向装置は、配向板同士の間隔又は配向溝により、供給装置から一定重量ずつ供給された木質材片を長さ方向に略揃えて配向する装置である。供給装置と配向装置とからなる配向積層装置は、搬送装置上方に配置され、搬送装置上に木質材片を均一に積層し、予定された厚さの木質積層マットを形成する。
【００１９】
配向装置は、配向板同士の間隔又は配向溝の上面を木質材片が移動するので、配向板同士の間隔又は配向溝の方向が搬送装置の移動方向と平行とされ、好ましくは、配向板上端部又は配向溝底面部が、搬送方向向きに低くなるように傾斜して設けられることが望ましい。また、木質材片の移動を容易にするために、必要に応じて配向装置全体を上方又は斜め前方に向かって往復振動されるようにされていても良い。この振動は独立して設けられても良いが、例えば、配向板又は配向溝と一体となるように取付けられても良い。
【００２０】
配向装置に投入された木質材片は配向板同士の間隔又は配向溝を移動していく。木質材片を一定量ずつ移動させるためには、その移動がスムースに行われる必要があり、配向板又は配向溝の表面は出来るだけ摩擦抵抗が少ないものが望ましい。例えば一例として、金属、プラスチック、それらの表面を低摩擦処理した材料などが挙げられる。
【００２１】
配向装置が配向溝の場合であれば、その溝の断面形状は特に限定されないが、略Ｖ字形状、略Ｕ字形状、略凵字形状などが挙げられ、略Ｖ字形状又は略Ｕ字形状のように、下方に向かって収束した断面形状の溝であれば、木質材片がこの溝を搬送される際に配向され易く、配向装置として好都合である。
【００２２】
配向板の高さ又は間隔や配向溝の深さ又は幅は、用いられる木質材片の長さと材片の幅或いは高さとに対応して適宜変更されればよい。即ち、高さや深さがあまりに高い又は深かったり、板同士の間隔や溝の幅があまりに狭いと、配向板同士の間隔又は溝の間に入った木質材片が溜まってしまい、木質材片を搬送装置上に配向積層して木質積層マットを形成する場合、木質材片の厚さや配向の程度が不均一になる恐れがある。また、高さや深さがあまりに浅い又は間隔や幅があまりに広いと、木質材片が配向し難くなる。
【００２３】
配向装置下端部と搬送装置上面とは接触していないので、その間は、配向装置で配向された木質材片が下方の搬送装置に移動する空間となっており、木質材片がその姿勢を束縛されずに自由に移動又は落下可能な自由空間となっている。
【００２４】
なお、木質材片を略長さ方向に揃えるとは、積層後の表面状態を撮像し、繊維方向が幅又は長さ方向より長い木質材片の長軸の方向と基準線の方向とがなす角度を測定し、その角度の平均値を算出して行う。ほぼ一方向に配向した状態とは、この方法により、基準線の方向と木質材辺の長軸方向とがなす角度の平均値が、±３０度の範囲内にある状態をいう。
【００２５】
木質材片の長さは、目的とする木質系複合材料の強度や、サイズに依って適宜変更されるが、通常、１０ｍｍ〜２５０ｍｍ程度のものが好ましく用いられる。また、木質材片の高さ又は幅と配向板同士の間隔との間には、高強度の木質系複合材料を得るために、より好ましい関係がある。即ち、木質材片の厚さ又は幅が１ｍｍ〜１１ｍｍである場合には、配向板同士の間隔を２０ｍｍ〜４０ｍｍとすることが好ましく、木質材片の厚さ又は幅が３ｍｍ〜５ｍｍである場合は、配向板同士の間隔を２０ｍｍ〜３０ｍｍとすることが好ましい。なお、配向装置が配向溝である場合でも、その溝幅と木質材片の寸法との間には同様の好ましい関係があるので、同様の距離とされることが望ましい。
【００２６】
配向板の縦方向の長さは、配向板を振動させない場合には、２００ｍｍ以下とされることが好ましい。即ち、木質材片が配向板の間を通過する際通過する距離が長いと木質材片が配向板の間に詰まってしまう恐れがあるからである。但し、短すぎると十分に配向しないので、木質材片の長さと幅又は高さによって変更されれば良いが、通常、５０ｍｍ以上とされることが多い。
【００２７】
複数の配向板は、互いに連結されて一体となって振動するようにされていても良い。振動させることで、配向板同士の間に落下した木質材片と配向板の板面との接触抵抗が減少し、配向板同士の間で木質材片が詰まることが少なくなる。配向板同士の連結の方法は特に制限されないが、木質材片が間隔を落下することを妨げない方法でなければならない。例えば一例として、配向板の上端部側辺又は下端部側辺を、鉄板等で溶接等して連結する方法などが挙げられる。配向溝の場合も同様である。
【００２８】
通常、振動方向は、上方又は木質材片が搬送される方向とし、水平方向から斜め上方に向かって振動される。振動により連結された板又は溝が振動し、各配向板上や溝縁上に跨って架かった木質材片は、振動を受けて踊りながら搬送方向に移動すると同時に、その重心位置がずれ、配向板や溝縁からズレ落ちて配向板同士の間又は溝に落下し、搬送装置上に積層される。
【００２９】
振動の振幅、又は振動数は、配向板上又は溝縁上に跨った木質材片が間隔に落下し、かつ落下して搬送装置上に配向し積層された木質材片が、再び踊り出してその配向が乱れない程度であれば良く、供給される木質材片の量や性状、サイズ等によって適宜選択して決められれば良い。
【００３０】
振動付与装置の取り付け方法は、木質材片の投入に影響が出なければ、特に限定されない。例えば、前述のような複数の板同士が金属板等で連結されている場合は、その金属板に取り付けるようにされると良い。また、連結された板を振動させる装置の振動付与手段は、特に限定されないが、振幅、振動数又は振動方向が可変であって、状況に合わせて最適の振動条件を選択できるものが好ましい。
【００３１】
配向装置は搬送装置の上方に配置され、配向装置の配向板又は配向溝の下端辺と搬送装置上面との間には間隔が設けられて、配向装置や搬送装置が振動してそれらが接触し、木質積層マットの配向が乱れたりマットの側方が崩れたりしないようにされる。配向装置下端部と搬送装置上面とは接触していないので、その間は、配向装置で配向された木質材片が下方の搬送装置に移動する空間となっており、木質材片がその姿勢を束縛されずに自由に移動又は落下可能な自由空間となっている。従って、配向装置の下端辺と搬送装置上面との距離は、積層された木質材片の高さ程度とされることが好ましく、それ以上広げられると木質材片が自由落下する距離即ち自由空間の高さが高くなり、配向が乱れる原因となる恐れがある。
【００３２】
自由空間の高さは、前に配置される配向積層装置の配向装置と後に配置される木実材片配向積層装置の配向装置とで異なっていても良い。即ち、配向板の間隔から搬送装置上に落下して積層される木質積層マットの高さが、配向板同士の間隔にあまり高く入り込まないことが重要である。しかしながら、配向板同士の間に残る木質材片を少なくするために、配向板下端辺下の自由空間を大きくすると、落下の時に木質材片の配向が乱れるので、自由空間の高さは状況に合わせて適宜変更されるべきである。
【００３３】
通常、その高さは５〜５０ｍｍ程度とされる。５ｍｍより狭ければ配向は充分であるが、配向板の間に多くの木質材片があることになり木質材片と板との摩擦が大きくなり、搬送装置が動いた時に、搬送装置上に積層されて移動する木質材片とその上部にある木質材片との間でずれが起こって配向が乱れたり、木質積層マットの高さが変化したりする恐れがある。
【００３４】
また、５０ｍｍより大きければ配向した木質材片の側面が配向装置の振動で乱れてしまう恐れがある。また、幅方向の両端部に位置する配向板では、その高さは１〜５ｍｍ程度とされる。１ｍｍより狭ければ、搬送装置が揺れた時に搬送装置上面と板下端とが接触して、積層された木質積層マットの配向が乱れてしまう恐れがあり、５ｍｍより大であれば、そこから木質材片がこぼれてしまう。なお、配向板の下端辺と搬送装置の上面との間には、木質材片の散乱防止のためのスカートが設けられても良い。このスカートは、木質材片の配向の乱れを多少とも防止する効果も期待できる。
【００３５】
搬送装置としては、通常、ベルトコンベアー等の無限軌道式搬送コンベアー類やローラーコンベアー等の搬送具に載せられたコール板等が用いられる。なお、コール板とは、ステンレススチール、鉄、アルミニウム等の所定サイズの金属板であり、その上に配向積層された木質材片を載置して木質積層マットを搬送するものである。
【００３６】
本発明において、用いられる木質材片の樹種としては、主に、スギ、ヒノキ、スプルース、ファー、ラジアータパイン等の針葉樹、シラカバ、アピトン、カメレレ、センゴンラウト、アスペン等の広葉樹が挙げられるが、これら森林から生産される植物材料だけでなく、竹、コウリャンといった森林以外で生産される植物材料をも含めることができる。
【００３７】
原料材に利用できる形態としては、特に限定されないが、例えば、上記樹種の丸太、間伐材等の生材料、工場や住宅建築現場で発生する端材、部材輸送後に廃棄される廃パレット材、建築解体時に発生する解体廃材等が挙げられる。
【００３８】
上記原料材を木質材片にする加工方法としては、ロータリーカッターによってベニア加工したものを割り箸状に切断してスティックにする方法、フレーカーの回転刃によって丸太を切削してストランドにする方法、一軸破砕機の表面に刃物のついたロールを回転させて木材を破砕する方法等を用いることができる。
【００３９】
そして、上記のようにして破砕された木質材片は、その太さが不揃いの場合は、必要に応じて一定範囲の太さの木質材片に分級されるが、分級方法は、所定範囲の太さで分級できるものであれば特に限定されない。例えば、ウェーブローラー方式等の分級機を用いて分級する方法が挙げられる。なお、ウェーブローラー方式の分級機は、材片の太さを基準に連続的に分級する装置である。
【００４０】
また、このようにして得られた木質材片の表面には、通常、配向積層前に塗布、噴霧や混合などによって結合剤が付着されるが、結合剤としては、フェノール樹脂、尿素樹脂、イソシアネート等、合板やパーティクルボードに用いられる木材工業用の接着剤が挙げられ、これらの結合剤は、単独或いは数種類を併用しても良い。また、結合剤は、液状でも粉末状でも構わないが、液状の場合は一般に木質材片に噴霧したり、木質材片と撹拌付着して予め木質材片に担持させた状態で供給装置に供給され、粉末状の場合は、一般に木質材片と均一に付着した状態で、供給装置に供給される。
【００４１】
さらに、木質材片は、含水率を一定にすることが好ましい。含水率を一定にすることで得られる木質系複合材料の品質バラツキが少なくなる。好ましい含水率としては、１０重量％以下であり、実質的に０重量％であっても構わない。含水率を一定にする方法としては、例えば、鬼童調節した乾燥装置中に一定時間木質材片を放置する方法が挙げられる。因みに、５０℃の乾燥装置に２４時間放置すると、含水率はほぼ５％程度に保たれる。
【００４２】
木質材片は繊維方向が幅又は長さ方向より長い形状のものである。即ち、樹木の繊維方向が長さ方向と同じ方向とされた材片であり、高さ及び幅は、いずれも１ｍｍ以上で上限は特にないが、製造される木質系複合材の高さの５分の１以下とされることが好ましい。長さは幅又は高さの大きい方の寸法の５倍以上が好ましい。但し、製品の外観向上のために、１ｍｍ以下の木質材片が表面側に配される場合もある。
【００４３】
木質材片は配向装置で配向されて搬送装置上に落下されて積層され、積層された木質積層マットはベルトコンベアー等の搬送装置によってプレス成形装置まで搬送される。プレス成形装置によって加圧または加熱成型されて所望の高さの木質系複合材料が形成される。プレス機における加熱方法としては、例えば一例として、熱板のように木質材片の表面から木質積層マットの内部に熱伝導によって熱を伝える方法や、蒸気噴射や高周波加熱等のように木質積層マットの内部を直接加熱する方法が挙げられる。
【００４４】
さらに、木質積層マットから得られる木質系複合材料は、プレス成形後の寸法精度や表面性を向上させるために、アニール処理や、切削、サンディング加工を行うことが好ましい。
【００４５】
本発明４から６に記載の木質積層マットの形成装置は、上記発明１から３を実施するための装置である。供給装置は、結合剤が付着された細長い多数の木質材片、即ち繊維方向が幅又は長さ方向より長くかつその表面に結合剤が付着された木質材片（以降、単に木質材片ともいう）の供給量を連続して計測しながら、供給装置の下方に配置され、配向板又は配向溝からなる配向装置に、時間当たりの供給量が一定となるように制御しながら供給する装置であり、一般的なスケールコンベアー等である。通常、コンベアーには均しロールが設けられ、供給装置に投入されて均しロールの下を通過する木質材片をコンベアーの幅方向に広げると共にその表面を均して高さを揃える機能を有する。
【００４６】
発明４においては、複数台の配向積層装置を搬送装置上に流れ方向に沿って列設され、少なくとも最初の配向積層装置で、木質材片が供給装置に投入されて、単位時間当たりの供給量を一定にしながら配向装置に供給される。供給量は、容量又は重量で測定すれば良いが、通常、重量測定が連続的に測定できかつ容易で比較的正確な供給量測定が出来る。
【００４７】
本発明で用いられる供給装置は、例えば一例として、重量連続測定器を備えた一般的な搬送装置、即ちいわゆるスケールコンベアー等であって、その搬送コンベアーの上流側から木質材片を投入し、その重量を連続して計量し、測定重量が所定重量より大きいときは搬送コンベアーの搬送速度を遅くして単位時間当たりの木質材片搬送重量を下げ、測定重量が小さいときは搬送コンベアーの搬送速度を早くして単位時間当たりの木質材片搬送重量を上げ、この供給装置の下流側への供給重量が一定になるように、搬送コンベアーの搬送速度を変更する方法などが挙げられる。勿論、搬送コンベアーの上流側に投入する木質材片は、搬送幅方向に渡ってほぼ均一となるように投入される。
【００４８】
発明５においては、複数台の配向積層装置を搬送装置上に流れ方向に沿って列設し、前後の配向積層装置同士の間に、前の配向装置で積層された木質積層マットの上面高さを略均一に均す均し具が設けられている。木質積層マットは嵩比重が小さいため、その表面に均し具を軽く接触するだけで均すことが出来る。
【００４９】
従って、均し具としては、木質積層マットの上面に接触してこれを平らに均し、マット上面高さを均一にする機能があれば良く、例えば一例として、棒、ローラー、堰板などの直線部分を有する剛体であれば良い。そ剛体の直線部分を、木質積層マットの搬送方向と直角の方向に配置してマット上面に軽く接触させ、その表面を均す方法などが挙げられる。但し、この均し具により木質積層マットの表面が掻き寄せられてしまうと配向が乱れるので、均し具と木質積層マットの上面との接触の程度は、目視などで確認しながら決められれば良い。
【００５０】
このような剛体としては、鉄、アルミニウム、銅、ＳＵＳ（ステンレススチール）、真鍮、これらの表面を研磨又はメッキしたもの等金属類；ＰＥ（ポリエチレン）、ＰＰ（ポリプロピレン）、ＰＶＣ（ポリ塩化ビニル）、ＡＢＳ（アクリルニトリル・ブタジエン・スチレン共重合樹脂）フッ素樹脂等の熱可塑性樹脂類；ＦＲＰ（繊維補強熱硬化性樹脂）、繊維強化熱可塑性樹脂とうの複合樹脂類；木、竹などの天然材などが挙げられる。
【００５１】
均し手段の配置位置は特に限定されないが、配向装置の上流側に近い位置であれば、上流側の配向装置で積層された木質積層マットが、その表面を均された後表面が再び乱れてしまうこと無く直ちに次の配向装置でその上に木質材片が配向積層されるので好ましい。
【００５２】
均し手段が例えば回転ローラーである場合には、搬送される積層マットの移動に連れてローラーが回転するので、マット表面と均し手段即ちローラーとの接触抵抗が少なくなり、積層マット表面の配向が乱れることが少なくてマットの表面高さを均すことが出来る。又、ローラーの表面に、木質積層マットの搬送方向に沿った溝が浅く刻まれていると、配向の乱れが更に少なくなるので、そのようにされていても良い。ローラーの高さ調節方法は、ローラー軸を受ける軸受けを上下方向にスライド可能に止める等、通常の方法が用いられれば良い。なお、ローラーの数は１本で良いが必要に応じて複数本が用いられても良い。
【００５３】
発明６においては、複数台の配向積層装置を搬送装置上に流れ方向に沿って列設し、少なくとも最初の配向積層装置の配向装置に、その配向装置下端部と、前の配向積層装置から供給される木質積層マットの上面との距離を、所望の距離に調節できる配向板高さ調節装置が設けられる。
【００５４】
配向積層装置においては、配向装置を通過して略配向された木質材片は、配向装置下方に落下して搬送装置上に積層される。従って、配向装置下端部の下方は木質材片が落下する自由空間となる。この空間の距離は、初めの配向積層装置においては、配向装置下端部と搬送装置の上面との間であり、それ以降に続く配向積層装置においては、配向装置下端部とその一つ前の配向積層装置で積層された木質積層マットの上面との間となる。
【００５５】
また、高さが厚い木質積層マットを一台の配向積層装置で一度に行うとすると、配向装板又は配向溝と木質材片との間で摩擦抵抗があるので、搬送装置に接触している木質材片と配向板又は配向溝の間にある木質材片との間でズレが起こって、搬送時に木質積層マットの配向が乱れることがある。これを防ぐために自由空間の距離を大きくとると、落下中に配向が乱れたりして搬送装置上に積層された木質積層マットの配向度が低下する。従って、目的とする木質積層マットの厚さが厚い場合には、自由空間の高さを低くして落下中の木質材片の配向の乱れが少なくなるようにした配向積層装置の複数台を列設して設け、各々の装置の自由空間の高さを順次所定の高さに調節して積層マットを積み重ねて所望の厚さの積層マットにするのである。
【００５６】
配向装置の下端部の高さは、供給される積層マットの高さを経持的に測定し、その高さに対応して所定の高さに変更させる。又は、供給される木質積層マットの高さが一定であれば、配向装置の下端部の高さは所定の高さに固定しておいても良い。但し、配向板又は配向溝は、振動付与手段で上方又は木質積層マットの搬送方向に向かって斜め上方に往復振動されるので、この高さは絶えず変動している。従って、配向装置下端部の高さは、配向装置が振動しても、その下端辺が、下方の搬送装置上面や搬送されてくる木質積層材片の上面に衝突しない距離とされねばならない。
【００５７】
供給される積層マットの高さは、例えば赤外線や超音波を用いた非接触型距離計を用いる方法や、投光機と受光器とを対面させて配置し、その間に木質積層マットを通過させてその高さを測定する方法など、適宜状況に合わせて用いられれば良い。
【００５８】
配向装置には振動付与手段が設けられている。配向装置が配向板である場合は、それぞれの配向板同士を金属板等で連結し、配向板全体が一体となるようにされている。この金属板に振動付与手段が取り付けられ一体とされた配向板は、ばね等で装置フレームに懸架又は懸吊される。配向板の高さを変更する方法は特に限定されないが、例えば一例として、金属板に雌ねじを設けこれに螺合する雄ねじをフレームに設け、雄ねじを電動モーターで回転させることにより、金属板即ち一体化された配向板を上下させてその高さを変更する方法などが挙げられる。
【発明の効果】
【００５９】
発明１においては、木質材片配向積層装置の供給装置で、木質材片の単位時間当たり供給量が一定となるように供給量を制御しながら木質材片を供給装置から配向装置へ供給するので、搬送装置上に積層された木質材片の厚さが略一定となり、高さが略一定とされた木質積層マットの上に更に木質積層マットを積み重ねて積層すれば、配向の乱れを少なくして木質積層マットを厚くすることができる。
【００６０】
発明２においては、列設された木質材片配向積層装置同士の間に、木質積層マットの上面高さの均し具を設け、搬送装置で搬送される木質積層マットの上面にその均し具を接触させて上面高さを略均一にするので、木質積層マットの高さが均一となり、以降の木質材片配向積層装置で、高さが略均一とされた木質積層マットの上に更に木質積層マットを積み重ねて積層すれば、配向の乱れを少なくして木質積層マットを厚くすることができる。
【００６１】
発明３においては、木質材片配向積層装置に、配向装置の高さを調節する高さ調節装置が設けられ、該高さ調節装置により、配向装置の高さを、その木質材片配向積層装置の前に配置される木質材片配向積層装置から搬送されてくる木質積層マットの上面高さの変動に併せて調節して木質積層マットの高さを調節するので、以降の木質材片配向積層装置で、木質積層マットの上に更に木質積層マットを積み重ねて積層する際に、木質積層マットの表面の配向が乱れにくく、配向の乱れを少なくして木質積層マットを厚くすることができる。
【００６２】
発明４においては、供給装置に、木質材片の供給量を連続して測定する計量装置と供給量の制御装置とが備えられ、木質材片の単位時間当たり供給量が一定となるように供給量を制御しながら木質材片を供給装置から配向装置へ供給するので、搬送装置上に形成される木質積層マットの厚さが一定となる。
【００６３】
発明５においては、列設された木質材片配向積層装置同士の間に、木質積層マットの上面高さの均し具が設けられ、搬送装置で搬送される木質積層マットの上面に均し具を接触させるので、木質積層マットの上面の高さが略均一均される。
【００６４】
発明６においては、木質材片配向積層装置に、配向装置の高さを調節する高さ調節装置が設けられ、その木質材片配向積層装置に搬送されてくる木質積層マットの高さの変動に合わせて、該高さ調節装置で配向装置の高さを調節するので、木質材片配向積層装置毎に木質積層マットの上に更に木質積層マットを積み重ねる際、搬送装置の下端部と木質積層マットの上面との間の自由空間の高さを最小限にすることができるので、木質材片の配向が乱れずに積層マットを形成することができる。
【発明を実施するための最良の形態】
【００６５】
次に、図面を参照して本発明を説明する。図１は３台の配向装置が列設された木質積層マットの形成装置の一例の配置図、図２は木質材片の配向積層装置の一例を示す斜視図、図３は配向装置の配向板とその下方の自由空間の関係の一例を示す正面図である。
【００６６】
図１において、木質積層マットの形成装置１は、複数台（本例では３台）の配向積層装置２、２’、２”が搬送装置４の上方に設置されている。配向積層装置２は、図２に示されるように、スケールコンベアーからなる供給装置２１と、配向装置２２とからなる。
【００６７】
供給装置２１は、重量計（図示せず）を備えたベルトコンベアー２１１からなる通常のスケールコンベアーである。結合剤付き木質材片Ｃはベルトコンベアー２１１の上流側から供給され、ベルトコンベヤ２１１に載せて均しローラ２１２によって、ベルトコンベヤ２１１上の結合剤付き木質材片Ｃの厚みを略一定になるように均しながら配向装置２２に連続的に供給する。
【００６８】
配向装置２２は、木質材片Ｃの搬送方向と平行に立設された複数の配向板２３又は並設された断面略Ｖ字形状の配向溝２４ａからなる。配向溝２４ａの一端部は他端部より高い勾配とされ、高い方が上流側とされている。下流側に排出部２４ｂを備えると共に、幅方向の両側に結合剤が付着された木質材片Ｃのこぼれ防止のための立ち上げ壁２５が設けられている。
【００６９】
この配向溝２４ａは、供給装置２１から供給された木質材片Ｃを、排出口２４ｂに横方向に均等な重量分布となるように案内するように作用するが、同時に木質材片Ｃを配向させる作用も併せ持つ。
【００７０】
配向装置２２が、搬送装置４の搬送方向に沿って平行に立設された複数の配向板２３である場合には、配向板２３の下端部には底面は設けられていない場合もある。この場合には、配向装置２２の上方から配向板２３同士の間に投入された木質材片Ｃは、配向板２３同士の間を落下する間に配向されて、直接搬送装置４の上に積層されることになる。また、配向装置が、溝方向が搬送装置４の搬送方向に沿って並設された配向溝２４ａの場合は底面があるので、木質材片は溝の上面を下方に移動しながら配向され、排出口２４ｂから搬送装置４上に積層される。
【００７１】
配向装置２２には振動付与手段２６が設けられている。振動付与手段２６は、例えば配向装置２２が複数の配向板２３で構成されている場合には、配向装置両外側の配向板が立ち上げ壁２５、２５’とされ、立ち上げ壁２５、２５’を跨いで設けられた水平バー２５ａに設けられたバイブレーター２６ａと、バイブレーター２６ａをフレーム２８に懸吊支持するばね２７とからなる。
【００７２】
振動方向は、上方又は搬送方向に沿って斜め前上方とされる。従って木質材片Ｃは突き上げられた調子で上方又は斜め前方向に跳ね、位置を変えて落下し、再び跳ね出されて更に位置を変えて落下し、これを繰り返す。振幅は、木質材片Ｃが跳ね出すだけの振幅であれば特に制限されないが、通常１ｍｍ〜３ｍｍ程度とされる。振動により配向装置２２の下端部が搬送装置４に接触すると、振幅が小さくなったり振動周期が乱れて振動効果が低減し、木質材片Ｃが配向板２３同士の間又は配向溝２４ａに詰まりやすくなるので、配向装置２２は搬送装置４と接触しないようにしなければならない。また、これ以降の配向積層装置では、木質積層マットＭの上面に接触すればせっかく配向積層された木質積層マットＭが崩れるので、接触してはならない。
【００７３】
図４は、発明５の均し具の一例を示す斜視図である。図４（ａ）は均し具５が均しローラー５１である一例、図４（ｂ）は棒である一例、図４（ｃ）は堰板である一例であるが、下面が水平な線状又は平面であればこの形状に限らない。いずれも、均し具５の長さ方向が木質積層マットＣの長さ方向と略直角となるように配置される。
【００７４】
均しローラー５１の下面は木質積層マットＣの上面に触れ、これを平らに均す。均しローラー５１の下面の高さは、例えば、均しローラー５１の両端の軸受けを配向積層装置１のフレームにねじ等で固定し、ねじを回転してその高さを変える方法などが挙げられる。また、木質積層マットＭは比重が軽いので、木質積層マットＭの表面を強く押さなくても均すことが出来る。従って、均し具５は、ばね等を介してフレームに装着し、均しロール５１の重量による押し圧を任意に変更できるようにされていても良い。
【００７５】
図５は、配向装置２２の下端部下の自由空間の高さｄを変更する方法の一例を示す部分断面図である。配向装置２２は、ばね２７で配向積層装置２のフレーム２８に取り付けられた上下に移動可能な懸吊板２９に止められている。懸吊板２９には雌ねじ３０が設けられ、フレーム２８にはこの雌ねじ３０に螺合する雄ねじ３１が取り付けられ、雄ねじ３１は電動モーター３２によって回転可能とされている。
【００７６】
電動モーター３２は、木質積層マットの高さを検出する高さ計（図示せず）からの信号を受けて回転し、雄ねじ３１を回転させることで懸吊板２９を上下に移動させて配向装置を上下に移動可能とされている。また、高さ計を用いず、目視で高さを観察し、手動で電動モーター等を作動させて高さを調節しても良い。このようにして、懸吊板２９の上下動に従って配向装置２２は上下に移動され、配向装置２２下の自由空間の高さｄが変更される。
【００７７】
３台の配向積層装置２、２’２”は、搬送装置４の搬送方向に沿って所定のピッチで列設される。最上流に配置される第１の配向装置２においては、自由空間の高さｄは、ほぼ１回の配向積層動作で得る木質積層マットＭの高さ程度を上限としそれ以下に設定され、かつ配向装置の上下方向の振幅より大とされる。これに続く配向装置２’、２”においても自由空間の高さｄは同様に設定される。従って、木質積層マットＭは３台の配向装置によって順次積み重ねられて、所望の厚さとされる。
【００７８】
第２の配向積層装置２’においては、第１の配向積層装置２から供給される木質積層マットＭの高さに応じて、配向装置２２’の下端部下の自由空間の高さｄを調節する必要があるので、配向装置２２’に投入する木質材片Ｃの重量を供給装置２１’で連続して計測して制御し、投入される木質材片Ｃの重量が均一となるようにスケールコンベアー２１１’の移動速度を制御する。従って、第２の配向装置２’で積層される木質積層マットＭの高さを均一にすることが出来る。
【００７９】
更に、これに続く配向積層装置２”の手前で積層マットＭの高さを測定し、配向装置２２”高さを変更して自由空間の高さｄをすることにより、その配向装置２２”で配向積層する時の積層マットＭの高さを、自由空間の高さｄ以下にすることが可能となる。
【００８０】
上記手段により、木質材片Ｃが配向積層装置２より搬送装置４上面、又は積層木質積層マットＭ上面に積層される時、自由空間の高さｄを木質材片の高さ以下に抑えることにより、木質材片Ｃが自由空間を落下する際の配向の乱れを制御し、配向装置２２で配向された配向度合いを維持した状態で、搬送装置４又は木質積層マットＭの上に積み重ねて積層することが出来る。
【００８１】
次に、木質積層マットの形成装置により厚さが厚い木質系複合材料を得る手順を説明する。まず、廃木材を粉砕機や切削機などで粉砕又は切削して得た破砕木質材片を、ウェーブローラー方式の分級機で分級し、高さ１ｍｍ〜１１ｍｍ、長さ１ｃｍ〜１５ｃｍ程度の分級済み木質材片を得る。
【００８２】
次に、得られた木質材片を温度４０℃〜９０℃、相対湿度１％〜６０％の雰囲気に保たれた恒温恒湿室に入れて１２時間以上放置し、木質材片を所定の含水率に調節する。含水率を調節した木質材片を、ドラムブレンダーに投入し、結合剤をドラムブレンダー内因木質材片にスプレー散布し、ドラムブレンダー内で木質材片に結合剤を担持させて結合剤が付着された木質材片Ｃを得る。なお、以上の木質材片に結合剤を付着させるまでの手順は図示していない。
【００８３】
得られた結合剤が付着された木質材片Ｃを、供給装置２１のスケールコンベアー２１１の上流側に投入する。供給装置２１に設けられた重量計で木質材片Ｃの投入重量を連続して計量し、ベルトコンベアー２１１の移動速度を適宜変更し、単位時間当たりの供給重量が一定となるようにする。ベルトコンベアー２１１に備えられた均しロール２１２で木質材片Ｃの厚みが一定となるように均しながら配向装置２２の上流側に連続的に供給する。
【００８４】
この配向積層装置２においては、配向装置２２は配向板２３の上側に配向溝２４ａが固定されている。配向溝２４ａは、配向板２３同士の間に位置するように配置されている。従って、配向装置２２は振動付与手段２６によって上方又は搬送方向に向かって斜め前上方に振動され、この振動によって、木質材片Ｃは跳ねながら配向溝２４ａ上を一部配向されつつ移動し、配向溝２４ａに沿って下流側に移動しながら排出口２４ｂから落下し、スムースに配向板２３同士の隙間に導かれてこの間を通過して配向され、搬送装置４上又は木質積層マットＭ上に積層される。
【００８５】
配向積層装置２、２’、２”においては、配向装置２２の下端部下の自由空間の高さｄを５ｍｍとし配向装置２２の上下方向の振幅を２ｍｍとした。
【００８６】
配向積層装置２で搬送装置４上に積層された木質積層マットＭは、次の配向積層装置２’の手前で均しロール５１に接触し、その上面高さを平らに均される。この時の接触圧力は軽いので、木質積層マットＭ上表面にある木質材片Ｃはその配向が乱されない。上面を均された木質積層マットＭの上に、第２の配向積層装置２’から次の木質材片Ｃが配向積層され、木質積層マットＭの高さが厚くされる。
【００８７】
このようにして所望の高さになるまで積層された木質積層マットＭは、搬送装置４上をプレス機まで搬送され、所定の温度、圧力、時間条件でプレス成形して、木質系複合材料を連続的に得られるようになっている。
【図面の簡単な説明】
【００８８】
【図１】３台の配向積層装置が列設された木質積層マットの形成装置の一例の
【図２】１台の配向積層装置の部分拡大斜視図である。
【図３】配向装置の配向板とその下方の自由空間の関係の一例を示す正面図である。
【図４】木質積層マットの上面高さを均す均し具の一例を示す斜視図である。  （ａ）均し具がローラーである一例である。  （ｂ）均し具が棒である一例である。  （ｃ）均し具が堰板である一例である。
【図５】発明３の配向装置の下端辺下の自由空間の高さを変更する方法の一例を示す部分断面図である。
【符号の説明】
【００８９】
１  木質積層マットの形成装置
２  配向積層装置
２１  供給装置
２１１  ベルトコンベアー（スケールコンベアー）
２１２  均しロール
２２  配向装置
２３  配向板
２４ａ  配向溝
２４ｂ  排出口
２５  立ち上げ壁
２５ａ  水平バー
２６  振動付与手段
２６ａ  バイブレーター
２７  ばね
２８  フレーム
２９  懸吊板
３０  雌ねじ
３１  雄ねじ
３２  電動モーター
４  搬送装置
５  均し具
５１  均しローラー
Ｃ  結合剤が付着された木質材片
Ｍ  木質積層マット
【図１】
2005111804.tif 000003
【図２】
2005111804.tif 000004
【図３】
2005111804.tif 000005
【図４】
2005111804.tif 000006
【図５】
2005111804.tif 000007